(57)【要約】【課題】液晶装置等の電気光学装置において、低コストで、効率的な放熱を実現する。【解決手段】電気光学装置は、光を投射することで画像を表示する電気光学パネル（１０，２０，５０）と、電気光学パネルにおける光の入射する面及び出射する面の少なくとも一方に貼付けられており、一の方向に延伸されてなる高分子フィルム（４００）とを備える。高分子フィルムは、延伸されることによって熱伝導率が高められているため、効率的な放熱を実現することが可能となる。【選択図】図３
2010091817.tif 000002
【特許請求の範囲】
【請求項１】
光を投射することで画像を表示する電気光学パネルと、
該電気光学パネルにおける前記光の入射する面及び出射する面の少なくとも一方に貼付けられており、一の方向に延伸されてなる高分子フィルムと
を備えることを特徴とする電気光学装置。
【請求項２】
前記高分子フィルムは、熱伝導率が第１閾値以上となるように延伸されていることを特徴とする請求項１に記載の電気光学装置。
【請求項３】
前記高分子フィルムは、結晶化度が第２閾値以上となるように、且つ結晶配向角が第３閾値以下となるように延伸されていることを特徴とする請求項２に記載の電気光学装置。
【請求項４】
前記電気光学パネルにおける前記高分子フィルムが貼付けられた面に、冷却風を供給する冷却風供給手段を更に備え、
前記高分子フィルムは、前記冷却風が供給される方向と、前記一の方向とが互いに揃うように貼付けられている
ことを特徴とする請求項１から３のいずれか一項に記載の電気光学装置。
【請求項５】
前記冷却風供給手段は、前記電気光学パネルにおける前記高分子フィルムが貼付けられた面の長辺に対して交わる方向に、前記冷却風を供給することを特徴とする請求項４に記載の電気光学装置。
【請求項６】
請求項１から５のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置として、例えば光源からの光を投射することにより、画像を表示させるものがある。電気光学装置は、光が投射されることで、光の持つエネルギーを吸収し発熱する。このため、放熱性の比較的高い材料によって形成された防塵ガラスをパネルの表面に接着することで、放熱効果を高めるという技術が提案されている（特許文献１参照）。
【０００３】
【特許文献１】特開２００６−３５０２９１号公報
【発明の開示】
【発明が解決しようとする課題】
【０００４】
しかしながら、例えば放熱効果を有する防塵ガラスとして水晶を用いた場合、通常用いられる石英と比較して非常に高価であるため、生産コストが大幅に増大してしまうという技術的問題点がある。また、水晶の熱伝導率が、０．０５〜０．１５Ｗ／ｃｍ・Ｋ程度であることからすれば、装置において発生した熱を放散するのに十分な放熱効果を有しているとは言い難い。
【０００５】
本発明は、例えば上述した問題点に鑑みなされたものであり、低コストで、効率的な放熱を可能とする電気光学装置、及び該電気光学装置を備えた電子機器を提供することを課題とする。
【課題を解決するための手段】
【０００６】
本発明の電気光学装置は上記課題を解決するために、光を投射することで画像を表示する電気光学パネルと、該電気光学パネルにおける前記光の入射する面及び出射する面の少なくとも一方に貼付けられており、一の方向に延伸されてなる高分子フィルムとを備える。
【０００７】
本発明の電気光学装置によれば、その動作時には、光源等から電気光学パネルに光が投射されることにより、電気光学パネル上に表示された画像が例えばスクリーン等の大型画面に表示される。電気光学パネルは、例えば一対の基板間に電気光学物質である液晶が挟持されてなる液晶パネルであり、液晶に電圧が印加されることで、様々な画像を表示することが可能とされる。
【０００８】
本発明では特に、電気光学パネルにおける光の入射する面及び出射する面の少なくとも一方に、高分子フィルムが貼付けられている。高分子フィルムは、例えば電気光学物質を挟持する一対の基板の表面、或いは一対の基板に接するように配置された防塵ガラスの表面に貼付けられる。高分子フィルムは、例えばポリエチレンやポリスチレン等からなる薄膜であり、一の方向に延伸されることによって、分子の向きが所定の方向に揃えられている。このため、高分子フィルムは、延伸方向（即ち、一の方向）の熱伝導率が大幅に高められた状態となっている。
【０００９】
具体的には、本願発明者の知るところによれば、高分子フィルムの延伸倍率が２００倍を超えると、延伸方向の熱伝導率は０．５Ｗ／ｃｍ・Ｋを超え、延伸方向に対して垂直方向の熱伝導率の約２０倍にまで高められる。更に、延伸倍率を４００倍とすると、延伸方向の熱伝導率はアルミニウム（Ａｌ）と同等の２．５Ｗ／ｃｍ・Ｋ程度になり、フィルムの種類によっては、銅（Ｃｕ）と同等の４Ｗ／ｃｍ・Ｋ程度になるものもある。尚、ここでの「延伸倍率」は、高分子フィルムにおける延伸前のローリングの速度と、延伸後のローリングの速度との比によって定義することができる。
【００１０】
電気光学装置の動作時には、電気光学パネルが投射された光のエネルギーを吸収することで発熱する。これによって、仮に電気光学パネルが過度に発熱したとすると、例えば電気光学物質の特性劣化による表示不良や画質の低下を招くほか、電気光学装置自体が故障してしまう場合がある。
【００１１】
しかるに本発明では特に、上述したように、延伸されることによって熱伝導率が高められた高分子フィルムが貼付けられているため、装置の放熱効果を高めることができる。即ち、電気光学パネルにおいて発生した熱を、高分子フィルムを介して、効率的に装置外部へと放散することができる。従って、装置の信頼性を効果的に高めることが可能である。尚、高分子フィルムは、光量が比較的強い光の入射側の面に貼付けられることが好ましいが、光の出射側の面に貼付けることでも相応に効果を得ることができる。また、光の入射側の面及び出射側の面の両方に貼付けることによって、更に放熱効果を高めることができる。
【００１２】
本発明では更に、高分子フィルムを電気光学パネルの表面に貼付けるだけで済むので、例えば比較的熱伝導率の高いとされる水晶からなる防塵ガラスを用いて放熱効果を得ようとする場合に比べて、製造コストを大幅に低減することができる。また、水晶と比較して、より高い熱伝導率も実現することができる。
【００１３】
以上説明したように、本発明の電気光学装置によれば、低コストで、効率的な放熱を可能とすることができる。
【００１４】
本発明の電気光学装置の一態様では、前記高分子フィルムは、熱伝導率が第１閾値以上となるように延伸されている。
【００１５】
この態様によれば、高分子フィルムの熱伝導率が第１閾値以上となるように延伸されているため、より確実に放熱効果を高めることができる。尚、「第１閾値」とは、電気光学パネルにおいて発生した熱を十分に放散できるような放熱効果を得るための閾値であり、例えば電気光学パネルにおいて発生する熱量に基づいて設定することができる。
【００１６】
第１閾値を設定することにより、高分子フィルムの延伸不足によって、意図した放熱効果が得られないという事態が発生してしまうことを防止することができる。また、同等の放熱効果を有する装置を、容易に大量生産することが可能となる。
【００１７】
上述した熱伝導率が第１閾値以上となるように延伸する態様では、前記高分子フィルムは、結晶化度が第２閾値以上となるように、且つ結晶配向角が第３閾値以下となるように延伸されてもよい。
【００１８】
この場合、高分子フィルムの熱伝導率は、結晶化度が第２閾値以上となるように、且つ結晶配向角が第３閾値以下となるように延伸されることで、第１閾値以上とされる。即ち、ここでの「第２閾値」及び「第３閾値」は、高分子フィルムにおける熱伝導率を第１閾値以上とするための閾値として夫々設定される。
【００１９】
尚、結晶化度は、例えば非特許文献１の２６５頁等に記述されている方法に準じて、Ｘ線回折像における非晶によるハロー強度と結晶によるピーク強度から求めることができる。また結晶配向角は、例えば非特許文献１の１８９頁等に記述されている方法に準じて、Ｘ線回折増におけるデバイ環の演習に沿った強度分布により求めることができる。
【００２０】
【非特許文献１】角戸正夫、笠井暢民著、「高分子Ｘ線回折」、丸善
【００２１】
結晶化度及び結晶配向角の２つのパラメータを用いることで、より好適に高分子フィルムを延伸させることが可能となる。従って、確実に高分子フィルムの熱伝導率を第１閾値以上とし、放熱効果を高めることが可能となる。
【００２２】
本発明の電気光学装置の他の態様では、前記電気光学パネルにおける前記高分子フィルムが貼付けられた面に、冷却風を供給する冷却風供給手段を更に備え、前記高分子フィルムは、前記冷却風が供給される方向と、前記一の方向とが互いに揃うように貼付けられている。
【００２３】
この態様によれば、電気光学パネルにおける高分子フィルムが貼付けられた面には、冷却風供給手段によって冷却風が供給される。冷却風供給手段は、例えば冷却風を発生させるファンと、冷却風を導く供給管とを含んで構成されている。冷却風が供給されることにより、電気光学パネルに対する放熱効果は更に高められる。
【００２４】
本態様では特に、高分子フィルムは、冷却風が供給される方向と、高分子フィルムの延伸方向とが互いに揃うように貼付けられている。本願発明者の研究によれば、冷却風が供給される方向と、高分子フィルムの延伸方向とが互いに揃うように配置することで、高分子フィルムにおける放熱効果が高まるという結果が得られている。具体的には、冷却風が供給される方向と、高分子フィルムの延伸方向とが平行である場合の放熱効果は、冷却風が供給される方向と、高分子フィルムの延伸方向とが垂直である場合の放熱効果よりも高いということが判明している。
【００２５】
従って、高分子フィルムを電気光学パネルに貼付ける際に、冷却風が供給される方向と、高分子フィルムの延伸方向とが互いに揃うようにすれば、高分子フィルムにおける放熱効果をより一層高めることが可能である。
【００２６】
上述した冷却風手段を備える態様では、前記冷却風供給手段は、前記電気光学パネルにおける前記高分子フィルムが貼付けられた面の長辺に対して交わる方向に、前記冷却風を供給するように構成されてもよい。
【００２７】
この場合、冷却風供給手段から供給される冷却風は、矩形である電気光学パネルにおける高分子フィルムが貼付けられた面に対して、長辺（即ち、長い方の辺）に交わる方向で供給される。
【００２８】
本願発明者の研究によれば、冷却風が長辺に交わる方向で供給される場合、冷却風が短辺（即ち、短い方の辺）に交わる方向で供給される場合と比べて、高分子フィルムにおける放熱効果が高まるという結果が得られている。従って、上述したように、冷却風が長辺に交わる方向で供給されるようにすれば、高分子フィルムにおける放熱効果をより一層高めることが可能である。
【００２９】
尚、電気光学パネルが矩形でない場合であっても、電気光学パネルの長手方向に対して交わる方向に冷却風を供給することで、同様の効果を得ることができる。
【００３０】
本発明の電子機器は上記課題を解決するために、上述した本発明の電気光学装置（但し、その各種態様も含む）を備える。
【００３１】
本発明の電子機器によれば、上述した本発明に係る電気光学装置を具備してなるので、信頼性の高い投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００３２】
本発明の作用及び他の利得は次に説明する発明を実施するための最良の形態から明らかにされる。
【発明を実施するための最良の形態】
【００３３】
以下では、本発明の実施形態について図を参照しつつ説明する。以下の実施形態では、本発明の電気光学装置の一例である駆動回路内蔵型のＴＦＴ（Thin Film Transistor）アクティブマトリクス駆動方式の液晶装置を例にとる。
【００３４】
＜電気光学装置＞
先ず、本実施形態に係る電気光学装置に含まれる電気光学パネルの全体構成について、図１及び図２を参照して説明する。ここに図１は、本実施形態に係る電気光学パネルの全体構成を示す平面図であり、図２は、図１のＨ−Ｈ´線断面図である。
【００３５】
図１及び図２において、本実施形態に係る電気光学パネルでは、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、これら一対の配向膜間で所定の配向状態をとる。ＴＦＴアレイ基板１０と対向基板２０とは、複数の画素電極が設けられた画像表示領域１０ａの周囲に位置するシール領域に設けられたシール材５２により相互に接着されている。
【００３６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００３７】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００３８】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００３９】
ＴＦＴアレイ基板１０上には、対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４０】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Indium Tin Oxide）等の透明材料からなる画素電極９ａが、画素毎に所定のパターンで島状に形成されている。
【００４１】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４２】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクタ用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４３】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルタが形成されるようにしてもよい。対向基板２０の対向面上における、対向電極２１上には、配向膜２２が形成されている。
【００４４】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学パネルの品質、欠陥等を検査するための検査回路等を形成してもよい。
【００４５】
＜第１実施形態＞
次に、上述した電気光学パネルを適用した第１実施形態に係る電気光学装置について、図３及び図４を参照して説明する。ここに図３は、第１実施形態に係る電気光学装置の構成を示す側面図であり、図４は、高分子フィルムの構成を延伸方向と共に示す斜視図である。尚、図３以降の図では、説明の便宜上、図１及び図２に示した電気光学パネルの詳細な部材を適宜省略している。
【００４６】
図３において、第１実施形態に係る電気光学装置は、ＴＦＴアレイ基板１０、対向基板２０及び液晶層５０を含んでなる電気光学パネルと、フレキシブル基板２００と、第１防塵ガラス３１０及び第２防塵ガラス３２０と、高分子フィルム４００とを備えて構成されている。
【００４７】
フレキシブル基板２００は、一端がＴＦＴアレイ基板１０における外部回路接続端子１０２（図１参照）と電気的に接続されており、他端が図示しない回路基板に電気的に接続されている。フレキシブル基板２００上には、電気光学パネルを駆動するための駆動回路を含む集積回路が設けられる場合がある。
【００４８】
第１防塵ガラス３１０は、例えば石英等を含んでなる透明基板であり、対向基板２０の光源光が入射する側の面に設けられている。また、第２防塵ガラス３２０は、第１防塵ガラス３１０と同様に石英等を含んでなる透明基板であり、ＴＦＴアレイ基板１０の光源光が出射する側の面に設けられている。第１防塵ガラス３１０及び第２防塵ガラス３２０を設けることにより、ＴＦＴアレイ基板１０及び対向基板２０に直接粉塵が付着してしまうことを防止することが可能となる。よって、装置の信頼性を高めると共に画質の低下を効果的に抑制することができる。
【００４９】
高分子フィルム４００は、例えばポリエステルやポリスチレン等の有機高分子材料を含む薄膜であり、第１防塵ガラス３１０における光源光の入射する側の面に貼付けられている。即ち、高分子フィルム４００は、電気光学装置の最表面となる位置に設けられている。
【００５０】
図４において、本実施形態に係る高分子フィルム４００は特に、一の方向（即ち、図中のＹ方向）に延伸された状態で、第１防塵ガラス３１０に貼付けられている。本願発明者の知るところによれば、高分子フィルム４００は、延伸することによって構成する分子の配列が所定の方向に揃い、延伸方向の熱伝導率が大幅に高められる。具体的には、高分子フィルム４００の延伸倍率が２００倍を超えると、延伸方向の熱伝導率は０．５Ｗ／ｃｍ・Ｋを超え、延伸方向に対して垂直方向の熱伝導率の約２０倍にまで高められることが知られている。更に、延伸倍率を４００倍とすると、延伸方向の熱伝導率はアルミニウム（Ａｌ）と同等の２．５Ｗ／ｃｍ・Ｋ程度になり、フィルムの種類によっては、銅（Ｃｕ）と同等の４Ｗ／ｃｍ・Ｋ程度になるものもある。
【００５１】
図３に戻り、本実施形態に係る電気光学装置は、上述したように、延伸されることによって熱伝導率が高められた高分子フィルム４００が貼付けられているため、放熱効果が極めて効果的に高められている。よって、電気光学パネルにおいて発生した熱を、高分子フィルム４００を介して、効率的に装置外部へと放散することができる。例えば、対向基板２０において発生した熱は、第１防塵ガラス３１０を介して高分子フィルム４００へと伝達され、高分子フィルム４００から外部へと放散される。
【００５２】
尚、高分子フィルム４００は、図３に示すように、光量が比較的強い光源光の入射側（即ち、対向基板２０側）に貼付けられることが好ましいが、光源光の出射側（即ち、ＴＦＴアレイ基板１０側）に貼付けることでも相応に効果を得ることができる。また、光源光の入射側及び出射側の両方に貼付ければ、更に放熱効果を高めることができる。
【００５３】
本実施形態に係る電気光学装置では、高分子フィルム４００を電気光学パネルの表面に貼付けるだけで済むので、例えば比較的熱伝導率の高いとされる水晶からなる防塵ガラスを用いて放熱効果を得ようとする場合に比べて、製造コストを大幅に低減することができる。また、水晶と比較して、より高い熱伝導率も実現することができる。但し、第１防塵ガラス３１０及び第２防塵ガラス３２０に比較的熱伝導率の高い材料を用いることで、電気光学パネルから高分子フィルム４００への熱の伝達効率を向上させるようにしてもよい。
【００５４】
以上説明したように、第１実施形態に係る電気光学装置によれば、低コストで、効率的な放熱を可能とすることができる。従って、装置の信頼性が極めて効果的に向上する。
【００５５】
＜第２実施形態＞
次に、第２実施形態に係る電気光学装置について、図５から図１０を参照して説明する。尚、第２実施形態は、上述の第１実施形態と比べて、冷却風が供給される点で異なり、その他の構成については概ね同様である。このため第２実施形態では、第１実施形態と異なる部分について詳細に説明し、その他の重複する部分については適宜説明を省略する。また図５及び図６では、図３及び図４に示した第１実施形態に係る構成要素と同様の構成要素に、同一の参照符合を付している。
【００５６】
先ず、第２実施形態に係る電気光学装置の構成について、図５及び図６を参照して説明する。ここに図５は、第２実施形態に係る電気光学装置の構成を示す側面図であり、図６は、冷却風の方向と高分子フィルムの延伸方向との関係を示す斜視図である。
【００５７】
図５において、第２実施形態に係る電気光学装置は、上述した第１実施形態の構成に加えて、本発明の「冷却風供給手段」の一例である冷却ファン５１０及び冷却風供給管を備えて構成されている。冷却ファン５１０において発生された冷却風は、冷却風供給管５２０の内部を通過することによって、高分子フィルム４００の表面に供給される。
【００５８】
図６において、第２実施形態に係る電気光学装置では特に、高分子フィルム４００は、冷却風供給管５２０から冷却風が吹出す方向と、高分子フィルム４００の延伸方向とが互いに揃うように貼付けられている。具体的には、図に示すように、冷却風が下側から吹出すような構成となっている場合には、高分子フィルム４００は、上下方向に延伸された状態となるように貼付けられる。
【００５９】
本願発明者の研究によれば、冷却風が供給される方向と、高分子フィルム４００の延伸方向とが互いに揃うように配置することで、高分子フィルム４００における放熱効果が高まるという結果が得られている。
【００６０】
ここで、本願発明者による研究データを元に、高分子フィルム４００の延伸方向及び冷却風の吹出し方向と、装置における放熱効果との関係について詳細に説明する。但し、以下では、高分子フィルム４００に代えて、水晶からなる基板を対象とした実験結果を用いる。ここに図７及び図９は夫々、水晶板に対する冷却風の供給方向を概念的に示す斜視図である。また図８及び図１０は夫々、熱伝導率と水晶板の温度との関係を示す表である。
【００６１】
図７において、先ずＸ方向の幅が８ｍｍ、Ｙ方向の幅が６ｍｍ、Ｚ方向の厚みが１．２ｍｍの水晶板６００に対して、Ｙ方向にそって冷却風を供給する場合について説明する。尚、水晶板６００の熱伝導率は、第１の方向における熱伝導率が０．１４Ｗ／ｃｍ・Ｋ、第１の方向に垂直に交わる第２の方向における熱伝導率が０．０７２Ｗ／ｃｍ・Ｋであり、冷却風の風速は２ｍ／ｓであるとする。また、水晶板６００には１Ｗの発熱量が与えられているものとする。
【００６２】
図８に示すように、水晶板６００の熱伝導率がＸ方向に大きい場合（即ち、第１の方向がＸ方向となる場合）、水晶板６００における最高温度ＭＡＸは６４．４℃、最低温度ｍｉｎは５８．６℃となり、最高温度ＭＡＸと最低温度ｍｉｎとの差は５．８℃となる。他方で、水晶板６００の熱伝導率がＹ方向に大きい場合（即ち、第１の方向がＹ方向となる場合）、水晶板６００における最高温度ＭＡＸは６３．８℃、最低温度ｍｉｎは５９．３℃となり、最高温度ＭＡＸと最低温度ｍｉｎとの差は４．５℃となる。また、水晶板６００の熱伝導率がＺ方向に大きい場合（即ち、第１の方向がＺ方向となる場合）、水晶板６００における最高温度ＭＡＸは６４．３℃、最低温度ｍｉｎは５８．３℃となり、最高温度ＭＡＸと最低温度ｍｉｎとの差は６．０℃となる。
【００６３】
以上の結果から、Ｙ方向（即ち、冷却風の方向）と、水晶板６００における第１の方向（即ち、熱伝導率が高い方向）とが互いに揃う場合に、最高温度ＭＡＸと最低温度ｍｉｎとの差が小さくなることが分かる。即ち、冷却風の方向と、水晶板６００における熱伝導率が高い方向とが互いに揃う場合には、他と比べてより効率的に熱を拡散させることができることが分かる。
【００６４】
図９において、続いてＸ方向の幅が６ｍｍ、Ｙ方向の幅が８ｍｍ、Ｚ方向の厚みが１．２ｍｍの水晶板６００に対して、Ｙ方向にそって冷却風を供給する場合について説明する。即ち、図７における水晶板６００の、Ｘ方向の幅とＹ方向の幅とが互いに入れ替わった場合について説明する。尚、水晶の熱伝導率や冷却風の風速等の各種条件は、図７の場合と同様とする。
【００６５】
図１０に示すように、水晶板６００の熱伝導率がＸ方向に大きい場合（即ち、第１の方向がＸ方向となる場合）、水晶板６００における最高温度ＭＡＸは７０．７℃、最低温度ｍｉｎは５９．７℃となり、最高温度ＭＡＸと最低温度ｍｉｎとの差は１１．０℃となる。他方で、水晶板６００の熱伝導率がＹ方向に大きい場合（即ち、第１の方向がＹ方向となる場合）、水晶板６００における最高温度ＭＡＸは６９．９℃、最低温度ｍｉｎは６１．４℃となり、最高温度ＭＡＸと最低温度ｍｉｎとの差は８．５℃となる。また、水晶板６００の熱伝導率がＺ方向に大きい場合（即ち、第１の方向がＺ方向となる場合）、水晶板６００における最高温度ＭＡＸは７１．０℃、最低温度ｍｉｎは５９．６℃となり、最高温度ＭＡＸと最低温度ｍｉｎとの差は１１．４℃となる。
【００６６】
以上の結果から、水晶板６００の幅を変更した場合であっても、上述した場合と同様に、Ｙ方向（即ち、冷却風の方向）と、水晶板６００における第１の方向（即ち、熱伝導率が高い方向）とが互いに揃う場合に、最高温度ＭＡＸと最低温度ｍｉｎとの差が小さくなることが分かる。但し、図１０における最高温度ＭＡＸ及び最低温度ｍｉｎと、図８における、最高温度ＭＡＸ及び最低温度ｍｉｎとを比べると、図８の場合の方が、相対的に温度が低い。この結果から、冷却風の方向を、水晶板６００における長辺と交わる方向とする方が、短辺と交わる方向とするのに比べて、冷却効果が高いことが分かる。
【００６７】
図６に戻り、第２実施形態に係る電気光学装置では、冷却風の方向と、高分子フィルム４００の延伸方向（即ち、熱伝導率が高められている方向）とが互いに揃っている。従って、上述の実験結果からすれば、より効果的に電気光学パネルにおいて発生した熱を放散することが可能である。加えて、冷却風が高分子フィルム４００の長辺に交わる方向から供給されているため、より冷却効果が高められている。
【００６８】
尚、図７から図１０を用いて説明した実験結果は、上述したように、熱伝導率が第１の方向と第２の方向とで２倍程度異なる水晶板６００を用いたものである。これに対し、第２実施形態に係る電気光学装置における高分子フィルム４００は、例えば２００倍程度の延伸によって２０倍近く熱伝導率が高められる。即ち、第１の方向と第２の方向とで、熱伝導率が２０倍程度異なるものとなる。従って、上述の実験結果から得られた傾向は、より顕著に発揮されるものと考えられる。
【００６９】
以上説明したように、第２実施形態に係る電気光学装置によれば、冷却風の方向と、高分子フィルム４００の延伸方向とを互いに揃えることで、より一層、高分子フィルム４００による放熱効果を高めることが可能である。
【００７０】
＜電子機器＞
次に、上述した電気光学装置である液晶装置を各種の電子機器に適用する場合について説明する。ここに図１１は、プロジェクタの構成例を示す平面図である。以下では、この液晶装置をライトバルブとして用いたプロジェクタについて説明する。
【００７１】
図１１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００７２】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００７３】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００７４】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００７５】
尚、図１１を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００７６】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７７】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【図面の簡単な説明】
【００７８】
【図１】実施形態に係る電気光学パネルの全体構成を示す平面図である。
【図２】図１のＨ−Ｈ´線断面図である。
【図３】第１実施形態に係る電気光学装置の構成を示す側面図である。
【図４】高分子フィルムの構成を延伸方向と共に示す斜視図である。
【図５】第２実施形態に係る電気光学装置の構成を示す側面図である。
【図６】冷却風の方向と高分子フィルムの延伸方向との関係を示す斜視図である。
【図７】水晶板に対する冷却風の供給方向を概念的に示す斜視図（その１）である。
【図８】熱伝導率と水晶板の温度との関係を示す表（その１）である。
【図９】水晶板に対する冷却風の供給方向を概念的に示す斜視図（その２）である。
【図１０】熱伝導率と水晶板の温度との関係を示す表（その２）である。
【図１１】電気光学装置を適用した電子機器の一例たるプロジェクタの構成を示す平面図である。
【符号の説明】
【００７９】
３ａ…走査線、６ａ…データ線、９ａ…画素電極、１０…ＴＦＴアレイ基板、１０ａ…画像表示領域、２０…対向基板、３０…ＴＦＴ、５０…液晶層、１０１…データ線駆動回路、１０２…外部回路接続端子、１０４…走査線駆動回路、２００…フレキシブル基板、３１０…第１防塵ガラス、３２０…第２防塵ガラス、４００…高分子フィルム、５１０…冷却ファン、５２０…冷却風供給管、６００…水晶板
【図１】
2010091817.tif 000003
【図２】
2010091817.tif 000004
【図３】
2010091817.tif 000005
【図４】
2010091817.tif 000006
【図５】
2010091817.tif 000007
【図６】
2010091817.tif 000008
【図７】
2010091817.tif 000009
【図８】
2010091817.tif 000010
【図９】
2010091817.tif 000011
【図１０】
2010091817.tif 000012
【図１１】
2010091817.tif 000013